(57)【要約】【課題】  前室用の空調設備構造が簡単で、設備コスト、稼働コストの低減を期すことができる冷却システムを提供できるようにする。【解決手段】  冷蔵室等の低温室２と搬入出口５との間に荷捌室等の前室３を備え、前記低温室２と前室３の上方に天井裏４を備える冷蔵倉庫等の冷却システム１において、前記天井裏４に外気を導入する外気口９と、前記前室３内空気を冷却して前室内に循環させる空調器８を備え、同空調器８を、前室３内の空気と天井裏４内の空気とを導入、混合して所要の温度に調節してから前室３内に送出するように構成した。【選択図】  図１
2006349221.tif 000002
【特許請求の範囲】
【請求項１】
冷蔵室等の低温室と搬入出口との間に荷捌室等の前室を備え、前記低温室と前室の上方に天井裏を備える冷蔵倉庫等の冷却システムにおいて、
前記天井裏に外気を導入する外気口と、前記前室内空気を冷却して前室内に循環させる空調器を備え、同空調器は、前室内の空気と天井裏内の空気とを導入、混合して所要の温度に調節してから前室内に送出するように構成してなる冷却システム。
【請求項２】
前記空調器は、前室内空気の入口から、ファンおよび冷却コイルを経て空気出口に至る空気流路における前記ファンの上流側のケーシング部分に、前記天井裏内からの空気を導入する天井裏空気入口を設け、ケーシング内における上記ファンの上流側に前室内空気と天井裏内空気とを混合する空気混合室を設けてなる請求項１に記載の冷却システム。
【請求項３】
前記空調器は、前記前室における外部からの搬入出口方向に向けて冷気を送出するように構成してなる請求項１または請求項２に記載の冷却システム。
【発明の詳細な説明】
【技術分野】
【０００１】
本発明は、冷蔵室等の低温室に隣接して設けられる荷捌室等の前室を所要の低温に維持するための構成を有する冷却システムに関する。
【背景技術】
【０００２】
冷蔵倉庫や冷蔵室を備える配送センター等の冷却システムたる低温施設では、商品を冷凍貯蔵する低温室（例えば−３０℃程度）の商品搬入出口に、荷捌きや加工等の作業を行う前室を備えるものがある（例えば特許文献１、２参照）。
【０００３】
前記前室は、近年低温化（−１０〜１５℃程度）が進み、例えば図４に示されるように冷蔵倉庫３１の前室３２を冷却するための冷却手段を設けたものがあり、低温室たる冷蔵室３３内には、上記冷却手段とは別に外部の冷凍機（図示省略）からの冷媒によって冷蔵室内を冷却する空調器３４を設けてある。
【０００４】
また、前記前室３２と冷蔵室３３の上方には天井裏３５が形成されていて、この天井裏には換気用のガラリ３６が設けられており、天井裏に外気を導入できるようにしてあるとともに、ファン３７を設けて天井裏の換気を積極的に行い、天井裏の結露を防止することができる構造となっている。
【０００５】
しかして前記冷却手段は、外部に設けた外気用空調装置３８と、前室３２内に設けた空調器３９とで構成されていて、前記外気用空調装置３８は外気を冷却・除湿してダクト３８ａにより前室に送るものとしてあり、空調器３９は外部の冷凍機（図示省略）から冷媒が供給されて、前室内の空気を冷却しながら循環させる構成となっている。
【０００６】
上述した冷却手段の構成により、前室は所要の温度・湿度に空調され、また外気用空調装置３８からの冷却空気の供給によって前室が陽圧に維持され、したがって外部との間の扉の開閉に伴う前室への外気の侵入が防止されて前室内への着霜および温度上昇が防止され、また冷蔵室３３との間の扉の開閉に伴う冷蔵室内空気の前室への漏出が防止されて、このことによっても前室内への着霜が防止されるようになっている。
【特許文献１】特開平７−１１３３８８号公報（第２、３頁、図１）
【特許文献１】特開２０００−３２７１１１号公報（第１〜７頁、図１〜３）
【発明の開示】
【発明が解決しようとする課題】
【０００７】
しかしながら、上述のように構成される従来の冷却システムでは、屋外に前室用の外気用空調装置を前室内の空調器とは別に設置・稼働させる必要があるとともに、外気用空調装置から前室へのダクト配管を設けなければならず、また、天井裏においても空気排出用のファンを設置・稼働させなければならないので、冷却システム全体の構造が複雑になるとともに、システム全体の設備コスト、稼働コストが嵩むという問題がある。
【課題を解決するための手段】
【０００８】
上記課題を解決するために、本発明に係る冷却システムは、冷蔵室等の低温室と搬入出口との間に荷捌室等の前室を備え、前記低温室と前室の上方に天井裏を備える冷蔵倉庫等の冷却システムにおいて、前記天井裏に外気を導入する外気口と、前記前室内空気を冷却して前室内に循環させる空調器を備え、同空調器は、前室内の空気と天井裏内の空気とを導入、混合して所要の温度に調節してから前室内に送出するように構成したものとしてある。
【０００９】
また前記空調器は、前室内空気の入口から、ファンおよび冷却コイルを経て空気出口に至る空気流路における前記ファンの上流側のケーシング部分に、前記天井裏内からの空気を導入する天井裏空気入口を設け、ケーシング内における上記ファンの上流側に前室内空気と天井裏内空気とを混合する空気混合室を設けた構成のものとしてある。
【００１０】
さらに前記空調器は、前記前室における外部からの搬入出口方向に向けて冷気を送出するように構成したものとしてある。
【発明の効果】
【００１１】
本発明に係る冷却空調システムによれば、天井裏より空気を導入して前室に供給する冷却手段たる前室内空調器を備えているので、従来のもののようにこの空調器とは別に外部に外気用空調装置を設けることなく外気を取り入れることが可能となり、外気用空調装置およびこの外気用空調装置のためのダクト配管等を設ける必要が無くなる。
【００１２】
このため、冷却システムの構成の簡略化を図ることができるとともに、外気用空調装置やダクト等の構成機器、設備の不要化により、装置コストおよび稼働コストの低減も期すことができる。
【００１３】
また、前室内に設けた空調器は天井裏より外気を導入するため、天井裏から前室への空気の流れが生じて天井裏に新たな外気が導入され、したがって従来のもののように天井裏の空気を積極的に排出するためのファン等の排気手段を天井裏に設けなくても天井裏の空気の換気を行うことができ、天井裏における結露の発生を抑制することが可能となる。
【００１４】
さらに前室内の空調器は、前記天井裏の空気と前室内の空気とを混合して導入することによって前室内の空気を循環冷却するので、前室を効率よく冷却し、所要の低温に維持することができ、しかも前記冷風の送出により前室内を陽圧に維持できるため、商品の出し入れの際のように外部と前室との間の商品搬入出口が開かれた際に前室内に外気が入り込んで前室の温度が急激に上昇して前室内温度が不安定になってしまったり、前室内に外気に含まれる水分による着霜が生じたりするような不具合が防止される。
【００１５】
また、前室内の空調器は天井裏空気を直接ケーシング内に導入する構成となっているので、前室内空気よりも通常は温度および絶対湿度の高い天井裏内の空気や外気が直接前室内に流れ込まず、所要の温度・湿度に調節された空気が前室内に送出されるので、このことによっても前室内の温度管理を正確に行うことができる。
【発明を実施するための最良の形態】
【００１６】
以下、本発明に係る冷却システムの実施例を添付図面に示す冷蔵倉庫の具体例に基づいて説明する。
冷却システムたる冷蔵倉庫１は、低温室たる冷蔵室２と前室たる荷捌室３を備え、冷蔵室２と荷捌室３の上方には天井４ａにて区画される天井裏４が設けられており、荷捌室３と外部との間の搬入出口には外扉５を、荷捌室３と冷蔵室２との間の搬入出口には内扉６をそれぞれ備えている。
【００１７】
冷蔵室２内には、外部に設けた冷凍機（図示省略）からの冷媒が供給される冷蔵室内空調器７を、荷捌室３内には同じく外部に設けた冷凍機（図示省略）からの冷媒が供給される荷捌室用空調器８をそれぞれ設けてあり、冷蔵室内と荷捌室内をそれぞれ所要の温度（例えば、冷蔵室内を−３０℃程度、荷捌室内を−１０〜１５℃程度）に個別に調節、維持できるようになっている。
【００１８】
また、前記天井裏４には、外気導入用の外気口たるガラリ９が設けられており、さらに天井４ａには、天井裏４内と荷捌室３内を連通する開口部１０が設けられている。
【００１９】
しかして、荷捌室３内の空調器８は図２に示されるように、荷捌室内の空気入口１１ａと空気出口１１ｂを有するケーシング１１内に、ファン１２、フィルタ１３、冷却コイル１４をこの順に備える空気流路が形成されていて、上記ファン１２の上流側におけるケーシング部分には、一端が前記開口部１０を経て前記天井裏４内に臨むダクト１５の他端が接続された天井裏空気入口１１ｃを備え、前記ファン１２の上流側に前室内空気と天井裏内空気とを混合する空気混合室１６が形成されている。
なお、前記ファン１２には例えばシロッコファンを用いる。
【００２０】
上述のように構成された冷却システムにおいては、空調器８の駆動により荷捌室３内の空気が空気入口１１ａから空調器内に導入され、冷却コイル１４との接触によって所要の温度に冷却され空気出口１１ｂから荷捌室内に送出されて、荷捌室内を循環させられる。
【００２１】
ここで、空調器８の空気混合室１６においては、上記空気入口１１ａからの荷捌室内空気と、天井裏空気入口１１ｃからの天井裏内空気も導入、混合されて、荷捌室内に送出される。
【００２２】
したがって、荷捌室３内においては同荷捌室内を循環する空気に加えて天井裏内からの空気が導入されるので、荷捌室内は陽圧となり、外部や冷蔵室２からの空気の流入が防止される。
【００２３】
すなわち、商品の搬入出や作業員の出入りに伴って前記外扉５や内扉６が開かれても、外気や冷蔵室内の空気が荷捌室内に流入することが可及的小なるものに抑えられ、したがって荷捌室内への外気の流入に伴う温度や絶対湿度の上昇あるいは荷捌室内への冷蔵室内空気の流入に伴う温度の急激な低下が防止され、荷捌室内の着霜も防止される。
【００２４】
また、空調器８の空気出口１１ｃは外扉５側に向かうように設けることができ、かくすると外扉を開いた際に空調器から送出空気がエアカーテン効果を奏し、外気侵入の防止効果をさらに向上させることができる。
なお、従来の冷却システムでは、荷捌室（前室）内の空気よりも温度が高く設定される外気用空調装置からの空気を冷蔵室とは反対側から吐出させる必要があったので、本発明における上述のような構成とすることはできなかった。
【００２５】
また、天井裏４内の空気は、前記空調器８によって荷捌室内に吸引されるので、天井裏内は負圧となり、外気口たるガラリ９から外気が導入され、したがって天井裏内の空気は常に換気されて結露しにくい状態に保たれる。
【００２６】
なお、前記荷捌室３内の空調器８における冷却コイル１４は、荷捌室内の冷却負荷に加えて天井裏内空気の冷却負荷も掛かるので、従来の荷捌室内用のものに比して列数を増加させるなどの負荷増大への対策が必要であるが、冷却能力の比較的大なる空調器であれば基本的には天井裏からの空気の導入口を新たに設ければ、従来の空調器を利用することができる。
【００２７】
上述した実施例のものでは、天井裏４内の空気と荷捌室３内の空気を混合、冷却して荷捌室内に循環させる空調器８を荷捌室３の天井４ａ下面に設けてあるが、この空調器を天井裏４内に設ける場合もある。
【００２８】
具体的には、図３に示されるように空調器１７を天井裏４内における天井４ａの上方に設け空調器１７の空気入口と同出口にそれぞれ一端が接続された吸気ダクト１８と送気ダクト１９の各他端をいずれも天井４ａを貫通して荷捌室３内に臨ませて、吸気口１８ａと送気口１９ａを構成してある。
【００２９】
また、天井裏４内の空気は空調器１７のケーシングに直接設けた別の空気入口２０から空調器内に導入されるように構成してあり、空調器内部の具体的構成は図２に示されるものと基本的に同じである。
【００３０】
上述のように、空調器１７を天井裏４内に設ける場合には、前記吸気ダクト１８および送気ダクト１９を設ける必要があるが、従来のシステムにおけるダクトよりも簡素な構成で事が足り、しかも荷捌室内の有効高さを損なわないというメリットがある。
【図面の簡単な説明】
【００３１】
【図１】本発明に係る冷却システムによる冷蔵倉庫の実施例を示す構成図。
【図２】荷捌室内に設けられる空調器の縦断面図。
【図３】本発明に係る冷却システムによる冷蔵倉庫の他の実施例を示す構成図。
【図４】従来の冷却システムによる冷蔵倉庫の一例を示す概略構成図。
【符号の説明】
【００３２】
１  冷蔵倉庫
２  冷蔵室
３  荷捌室
４  天井裏
５  外扉
６  内扉
７  冷蔵室内空調器
８  荷捌室内空調器
９  ガラリ
１０  開口部
１１  ケーシング
１２  ファン
１３  フィルタ
１４  冷却コイル
１５  ダクト
１６  空気混合室
１７  荷捌室内空調器
１８  吸気ダクト
１９  送気ダクト
２０  空気入口
【図１】
2006349221.tif 000003
【図２】
2006349221.tif 000004
【図３】
2006349221.tif 000005
【図４】
2006349221.tif 000006